(57)【要約】【課題】実際の鏡に映し出した像と同じように画像表示を行うことができ、しかも画像の加工、アレンジ、伝送を行うことができる電子鏡システムを提供すること。【解決手段】電子鏡システムは、撮像した画像を表示する表示手段である液晶表示装置１１と、液晶表示装置１１の撮像モードにおいて、被撮像体である利用者１４を液晶表示装置１１を通して撮像する撮像手段であるカメラ１２と、撮像モード及び必要に応じて  表示モードにおいて光源として機能するライト１５と、液晶表示装置１１、カメラ１２及びライト１５のＯＮ／ＯＦＦを制御する切替制御部１３とから主に構成されている。【選択図】    図１
2004297733.tif 000002
【特許請求の範囲】
【請求項１】
被撮像体の正面に配置される表示手段と、
前記表示手段の裏面側に配置され、前記表示手段を通して前記被撮像体を撮像する撮像手段と、
前記表示手段を通して前記被撮像体を撮像する撮像モードと前記撮像手段により撮像された画像を前記表示手段に表示する表示モードとを切り替える制御を行う切替制御手段とを有することを特徴とする電子鏡システム。
【請求項２】
前記電子鏡システムは、撮像した画像に画像処理を施す画像処理手段をさらに具備することを特徴とする、請求項１記載の電子鏡システム。
【請求項３】
前記表示手段は、前記撮像モードにおいては透過度の高い透過状態となることを特徴とする請求項１又は請求項２記載の電子鏡システム。
【請求項４】
前記電子鏡システムは、画像を他の装置に伝送する通信制御手段をさらに具備することを特徴とする請求項１から請求項３のいずれかに記載の電子鏡システム。
【請求項５】
前記電子鏡システムは、前記撮像モードにおいて前記撮像手段を駆動させ、前記表示モードにおいて前記表示手段を駆動させる制御を同期して行う同期手段をさらに具備することを特徴とする請求項１から請求項４のいずれかに記載の電子鏡システム。
【発明の詳細な説明】
【０００１】
【発明の属する技術分野】
本発明は、撮像した画像を電子化して、被撮像体の前に位置する表示装置に鏡のように表示させる電子鏡システムに関する。
【０００２】
【従来の技術】
従来より、人の顔を撮像し、撮像した画像をディスプレイに表示させる電子鏡システムがある。このシステムは、例えば、特開２００１−２５００４号公報に記載されている。この従来の電子鏡システムは、図５に示すように、被撮像体である利用者５１の前と背後にそれぞれカメラ５２，５３を設置し、それぞれのカメラ５２，５３で撮像した画像をモニター５４に表示させる。これらのカメラ５２，５３の操作は、利用者５１の足元のリモートコントローラ５５により行う。これにより、カメラ５２，５３のズーム、仰角、水平角の操作を行うことができるようになっている。モニター５４は、２画面に分割されており、それぞれのカメラ５２，５３で撮像した画像を分割された画面に個々に表示するようになっている。
【０００３】
【特許文献】
特開２００１−２５００４号公報
【０００４】
【発明が解決しようとする課題】
しかしながら、上記従来技術においては、図５から分かるように、カメラ５２，５３の位置とモニター５４の位置との間に隔たりがあるので、実際の鏡に映し出す像とは異なった画像になってしまい、違和感を感じる。また、常にカメラ５２，５３を意識しながらモニター５４を見つづける必要がある。さらに、撮像した画像を加工したりアレンジしたり、さらに伝送することはできない。
【０００５】
本発明はかかる点に鑑みてなされたものであり、実際の鏡に映し出した像と同じように画像表示を行うことができ、しかも画像の加工、アレンジ、伝送を行うことができる電子鏡システムを提供することを目的とする。
【０００６】
【課題を解決するための手段】
本発明の電子鏡システムは、被撮像体の正面に配置した表示手段（液晶表示装置）と、表示手段に対して被撮像体の反対側に配置され、表示手段を通して被撮像体を撮像する撮像手段（カメラ）と、表示手段を通して被撮像体を撮像する撮像モードと撮像手段により撮像された画像を前記表示手段に表示する表示モードとを切り替える制御を行う切替制御手段（切替制御部）とを有することを特徴とする。
【０００７】
この構成によれば、被撮像体を正面から撮像することができるので、撮像した画像を表示手段に表示したときに、実際の鏡に映し出した像と同じように画像表示を行うことができる。
【０００８】
本発明の電子鏡システムにおいては、切替制御手段は、撮像した画像に画像処理を施す画像処理手段（画像処理部）を有することが好ましい。
【０００９】
この構成によれば、被撮像体を撮像した画像を任意に加工、アレンジすることが可能となる。
【００１０】
本発明の電子鏡システムにおいては、表示手段は、撮像手段が被写体からの光を表示手段を介して受け取り可能となるように前記撮像モードにおいて透過状態となり、一方、表示モードにおいては撮像手段によって得られた画像を描画するように機能する。なお表示手段の撮像モード・表示モードの切替は切替制御手段によって行われる。
【００１１】
この構成によれば、電子鏡システムはユーザが撮像手段に目線を向けた状態の画像を取得し、表示することが可能となり、ユーザにあたかも鏡を見ているような使用感を与えることが可能となる。
【００１２】
本発明の電子鏡システムは、画像を他の装置に伝送する通信制御手段（通信制御部）を有することが好ましい。
【００１３】
この構成によれば、撮像した画像や加工した画像を自由に他の装置に伝送することが可能となる。
【００１４】
本発明の電子鏡システムは、前記撮像モードにおいて前記撮像手段を駆動させ、前記表示モードにおいて前記表示手段を駆動させる制御を同期して行う同期手段（同期部）を有することが好ましい。
【００１５】
この構成によれば、表示手段及び撮像手段のＯＮ／ＯＦＦの切り替えを同期して行うことができ、精度良くモード切り替えを行うことができる。
【００１６】
【発明の実施の形態】
以下、本発明の実施の形態について、添付図面を参照して詳細に説明する。
本実施の形態においては、電子鏡として画像を表示させる液晶表示装置として、透過状態に制御可能な液晶パネルからなる高透過液晶表示装置を用いた場合について説明する。
【００１７】
図１は、本発明の実施の形態に係る電子鏡システムの概略構成を示す図である。図１に示すシステムは、撮像した画像を表示する表示手段である液晶表示装置１１と、液晶表示装置１１の撮像モードにおいて、被撮像体である利用者１４を液晶表示装置１１を通して撮像する撮像手段であるカメラ１２と、撮像モード及び必要に応じて  表示モードにおいて光源として機能するライト１５と、液晶表示装置１１、カメラ１２及びライト１５のＯＮ／ＯＦＦを制御する切替制御部１３とから主に構成されている。
【００１８】
カメラ１２としては、例えばＣＣＤ（Ｃｈａｒｇｅ  Ｃｏｕｐｌｅｄ  Ｄｉｏｄｅ）カメラを挙げることができるが、撮像した画像をディジタル化できるものであれば、特にＣＣＤカメラに限定されない。
【００１９】
ライト１５としては、通常液晶のバックライトやフロントライトとして使用される光源や、カメラによる撮像時に使用される光源を用いることができる。
【００２０】
切替制御部１３は、詳細には、図２に示す構成を有する。図２は、図１に示す電子鏡システムの切替制御部１３の内部構成を示すブロック図である。この切替制御部１３は、カメラ１２で撮像された画像を取り込む画像取得部１３１と、取り込んだ画像に対して所定の画像処理を行う画像処理部１３２と、取り込んだ画像を格納する画像格納部１３３と、表示すべき画像に対応する液晶駆動を制御する液晶駆動制御部１３４と、カメラ１２のＯＮ／ＯＦＦを制御するカメラ制御部１３７と、ライト１５のＯＮ／ＯＦＦを制御するライト制御部１３８と、液晶駆動制御部１３４、カメラ制御部１３７及びライト制御部１３８の同期を図４に示すようなテーブル１３５に応じてとる同期部１３５と、画像を他の装置との間で送受信する通信制御部１３９とを含む。
【００２１】
上記切替制御部１３においては、カメラ１２で撮像された画像は、画像取得部１３１に送られ、そのまま画像処理部１３２に送られるか、あるいは画像格納部１３３に送られ、格納される。画像格納部１３３は、画像取得部１３１で取得された画像を格納し、必要に応じて画像処理部１３２に出力する。
【００２２】
画像処理部１３２は、画像格納部１３３又は画像取得部１３１から送られた画像に対して所定の画像処理を行う。この画像処理とは、例えば、被撮像体の画像の色を任意の色に調整する処理、得られた画像を横方向について反転する処理、得られた画像に架空のアイテム（例えば、眼鏡、アクセサリー、衣装）を付加する処理などを挙げることができる。これらの画像処理は、例えば、液晶表示装置１１の操作部１１ａ，１１ｂを操作することにより行うことができる。画像処理部１３２で画像処理された画像又は画像取得部１３１で取得されたままの画像は、液晶駆動制御部１３４に出力され、必要に応じて通信制御部１３９に出力される。
【００２３】
液晶駆動制御部１３４は、画像処理部１３２から出力された画像に応じて液晶表示装置１１の駆動を制御する。この駆動としては、液晶表示装置１１の液晶パネル１１ｃ，１１ｄのＯＮ／ＯＦＦの制御をはじめ、液晶パネルの各画素の駆動制御を行う。この場合、液晶駆動制御部１３４は、システムが表示モードである場合に、液晶表示装置１１をＯＮにし、各画素の駆動制御を行い、システムが撮像モードである場合に、液晶表示装置１１をＯＦＦにする。なお、液晶パネル１１ｃ，１１ｄの駆動については後述する。
【００２４】
カメラ制御部１３７は、カメラ１２のＯＮ／ＯＦＦの制御をはじめ、撮像の際の焦点合わせ、ズーム、角度調整などの通常カメラで撮像を行う際の種々の制御を行う。この制御は、例えば、液晶表示装置１１の操作部１１ａ，１１ｂを用いて行っても良く、リモートコントローラなどの遠隔操作手段を用いて行っても良い。この場合、カメラ制御部１３７は、システムが表示モードである場合に、カメラ１２をＯＦＦにし、システムが撮像モードである場合に、カメラ１２をＯＮにして、前述した種々の制御を行う。
【００２５】
ライト制御部１３８は、ライト１５のＯＮ／ＯＦＦの制御をはじめ、撮像の際の照度合わせなどの通常カメラで撮像を行う際のライトの種々の制御を行う。この制御は、例えば、液晶表示装置１１の操作部１１ａ，１１ｂを用いて行っても良く、リモートコントローラなどの遠隔操作手段を用いて行っても良い。この場合、ライト制御部１３８は、システムが表示モードである場合に、ライト１５をＯＦＦにし、システムが撮像モードである場合に、ライト１５をＯＮにして、前述した種々の制御を行う。なお、システムが表示モードである場合であっても、必要に応じて、液晶表示装置のバックライトとして使用するためにライト１５をＯＮにしても良い。これにより、液晶表示装置１１を用いた表示モードにおいても表示において十分な明るさを確保することができる。
【００２６】
同期部１３５は、液晶表示装置１１、カメラ１２及びライト１５のＯＮ／ＯＦＦを示すテーブル１３６を有しており、このテーブル１３６を参照して、液晶駆動制御部１３４、カメラ制御部１３７及びライト制御部１３８を同期して制御する。これにより、液晶表示装置１１、カメラ１２及びライト１５のＯＮ／ＯＦＦの切り替えを同期して行うことができ、精度良くモード切り替えを行うことができる。
【００２７】
通信制御部１３９は、画像処理部１３２で画像処理された画像やカメラ１２で撮像された画像を他の装置に送る制御を行う。例えば、画像をプリンタから出力する場合には、画像をプリンタに伝送し、画像を他の場所に送信する場合には、画像を回線を通じて伝送する。伝送形態としては、有線であっても、無線であっても良く、また赤外線やブルートゥースなどを用いても良い。
【００２８】
液晶表示装置１１は、図３に示す構成を有する。図３は、本発明の実施の形態に係る電子鏡システムの液晶表示装置の概略構成を示す図である。本実施の形態においては、液晶表示装置１１は、図３に示すように、透過状態に制御可能な高透過液晶パネル１１ｃから構成されている。液晶パネル１１ｃは、薄膜トランジスタ層が形成されたガラス板などの透明な基板と、これに対向する透明な基板と、これら基板の隙間部に封入された液晶とによって構成されている。この液晶パネル１１ｃの表示モードは、ノーマリーホワイトに設定されている。「ノーマリーホワイト」とは、液晶を駆動していない状態で白表示（表示面側に光が行く、すなわち透過した光が外部から視認される）となる構成である。
【００２９】
液晶パネル１１ｃは、画像表示用の液晶パネルであり、カメラ１２で撮像された画像あるいはその画像に画像処理を施してなる画像を表示する。
【００３０】
なお、液晶パネル１１ｃの配線や電極は、透明であることが望ましいので、例えばＩＴＯ（Ｉｎｄｉｕｍ  Ｔｉｎ  Ｏｘｉｄｅ）などの透明導電材料で構成することが望ましい。
【００３１】
また、液晶装置１１は、液晶パネル１１ｃに光を供給するための導光板１１ｄおよびいわゆる白色光源である蛍光ランプ１１ｅ、１１ｆをさらに有する構成であってもよい。導光板１１ｄは、蛍光ランプ１１ｅ、１１ｆからの光を液晶パネル１１ｃへ導き出す（液晶パネルを照明する）ために液晶パネル１１ｃの裏面側に設けられ、たとえば略２ｃｍ程度の厚さを有するアクリル系樹脂などの投光部材（導光機能を有する）で構成されている。蛍光ランプ１１ｅ、１１ｆは導光板１１ｄの上端部及び下端部に沿って配置され、導光板１１ｄによって液晶パネル１１ｃに供給される光を発生する機能を有する。
【００３２】
次に、上記構成を有する電子鏡システムの動作について説明する。
まず、画像を撮像する撮像モードの場合について説明する。撮像モードにおいては、図４に示すテーブルにしたがって、液晶表示装置１１、カメラ１２及びライト１５のＯＮ／ＯＦＦが制御される。すなわち、液晶表示装置１１は、液晶駆動制御部１３４により液晶パネル１１ｃをＯＦＦとし、これにより、液晶パネル１１ｃは画像を表示しない状態でありかつ透明状態となっている。図１に示すように、液晶表示装置１１は透明となり、利用者１４は、液晶表示装置１１を通してカメラ１２で撮像可能となる。このとき、利用者１４の視線をカメラ１２のレンズに合わせる（利用者１４の視点、液晶表示装置１１、及びカメラ１２が一直線となる、すなわち図１における点線Ｘ）ことにより、利用者１４が正面を向いた状態を撮像することができる。
【００３３】
このとき、カメラ１２は、カメラ制御部１３７によりＯＮとする。また、ライト１５は、ライト制御部１３８によりＯＮとする。この場合、同期部１３５から制御信号が液晶駆動制御部１３４、カメラ制御部１３７及びライト制御部１３８に出力され、この制御信号にしたがって液晶駆動制御部１３４、カメラ制御部１３７及びライト制御部１３８は、それぞれ液晶表示装置１１、カメラ１２及びライト１５のＯＮ／ＯＦＦを制御する。
【００３４】
カメラ１２で撮像した画像は、切替制御部１３の画像取得部１３１で取得され、そのまま画像処理部１３２を経て液晶駆動制御部１３４に送られ、液晶表示装置１１で表示される。また、その画像は画像格納部１３３に格納される。画像格納部１３３に格納された画像は、必要に応じて画像処理部１３２において、所定の画像処理が施される。
【００３５】
次に、画像を表示する表示モードの場合について説明する。表示モードにおいても、図４に示すテーブルにしたがって、液晶表示装置１１、カメラ１２及びライト１５のＯＮ／ＯＦＦが制御される。すなわち、液晶表示装置１１は、液晶駆動制御部１３４により液晶パネル１１ｃをＯＮとする。これにより、液晶パネル１１ｃは画像を表示する状態となる。液晶表示装置１１は透明ではなくなり、画面上にカメラ１２で撮像された画像が表示される。この画像は、利用者１４が正面を向いた画像である。
【００３６】
このとき、カメラ１２は、カメラ制御部１３７によりＯＦＦとする。また、ライト１５は、ライト制御部１３８によりＯＦＦとする。なお、液晶表示装置１１での表示が暗い場合には、ライト制御部１３８によりライト１５をＯＮとしてバックライトとして使用しても良い。この場合の制御は、回りの明るさを感知して自動的にライト１５のＯＮ／ＯＦＦを行うようにしても良く、マニュアルにより利用者１４が任意に選択するようにしても良い。
【００３７】
この場合も、同期部１３５から制御信号が液晶駆動制御部１３４、カメラ制御部１３７及びライト制御部１３８に出力され、この制御信号にしたがって液晶駆動制御部１３４、カメラ制御部１３７及びライト制御部１３８は、それぞれ液晶表示装置１１、カメラ１２及びライト１５のＯＮ／ＯＦＦを制御する。
【００３８】
まず、カメラ１２で撮像した利用者１４の画像を液晶パネル１１ｃ上に表示する。そこで、利用者１４が画像を加工、アレンジする場合には、例えば、液晶表示装置１１の操作部１１ａ，１１ｂを用いて画像処理の指示を行う。なお、この画像処理の指示については、液晶表示装置１１の操作部１１ａ，１１ｂを用いて行っても良く、キーボードによるキー入力、マウスによるドラッグ、電子ペンによるペン入力で行っても良い。
【００３９】
この指示は、画像処理部１３２に送られ、画像処理部１３２は、画像格納部１３３から撮像した画像を抽出し、この画像に所定の画像処理を行う。具体的には、画像処理としては、撮像した画像を左右反転させる画像処理を行い、鏡像画像を生成する処理である。この処理により、ユーザは本電子鏡システムによって、実際の鏡と同様に自己の鏡像を見ることが可能となる。
上記鏡像画像を生成する処理に加えて以下のような処理をさらに行えるようにしてもよい。
この画像の顔色や髪色を任意の色に変更したり、この画像に架空のアイテム、例えば眼鏡、アクセサリー、衣装などを付加する処理、あらかじめ画像格納部１３３に格納しておいた他の画像（人物や背景など）とこの画像とを合成する処理、この画像、例えば顔の部位（目、鼻、口、耳、輪郭など）や体の部位（手、足、胸、腹など）を変形する処理、この画像を横方向について反転させる処理、画像を拡大・縮小する処理などを追加的に行えるようにしてもよい。
【００４０】
このように画像処理された画像が液晶駆動制御部１３４の制御により、液晶パネル１１ｃ上に表示される。利用者１４は、この画像を見ながらさらに画像処理の指示を行っても良く、必要に応じて他の装置に伝送しても良い。他の装置に画像を伝送する場合には、通信制御部１３９が他の装置に回線を通じて伝送を行う。例えば、プリンタに画像を伝送してプリントアウトするようにしても良く、インターネットのようなネットワークを介して他の装置（サーバやパーソナルコンピュータなど）に伝送しても良い。これにより、撮像した画像や加工した画像を自由に他の装置に伝送することが可能となる。
【００４１】
このように本実施の形態に係る電子鏡システムは、実際の鏡に映し出した像と同じように画像表示を行うことができ、しかも画像の加工、アレンジ、伝送を行うことができる。このシステムにおいて、撮像モードと表示モードを高速で切り替えることにより、撮像と表示を両立して行うことができる。これにより、より鏡に近い表示を行うことが可能となる。
【００４２】
このようなシステムにより、例えば、化粧品会社との間で画像の送受信を行って、メイクアップの指導を受けたり、肌の悩みの相談をすることもかの魚である。また、インターネットショッピングで衣装を試着して合わせることも容易となる。さらに、背景画像と合成することにより、旅行写真なども作成することが可能となる。また、画像解析ソフトを用いて人相占いを行うことも可能となる。
【００４３】
本発明は上記実施の形態に限定されず、種々変更して実施することが可能である。例えば、上記実施の形態においては、カメラ制御部１３７でカメラ１２の種々の調整を制御し、ライト制御部１３８でライト１５の種々の調整を制御する場合について記載しているが、本発明においては、カメラ制御部１３７やライト制御部１３８では、それぞれカメラ１２やライト１５のＯＮ／ＯＦＦのみを制御し、その他の調整については、マニュアルで、あるいは専用のリモートコントローラで制御するようにしても良い。
【００４４】
また、上記実施の形態では、画像が静止画である場合について説明しているが、本発明においては、画像が動画である場合にも適用することができる。
【００４５】
【発明の効果】
以上説明したように本発明の電子鏡システムは、実際の鏡に映し出した像と同じような画像表示を行うことができる。さらに画像処理手段を具備することにより、画像の加工、アレンジ、伝送を行うことができる。
【図面の簡単な説明】
【図１】本発明の実施の形態に係る電子鏡システムの概略構成を示す図である。
【図２】図１に示す電子鏡システムの切替制御部の内部構成を示すブロック図である。
【図３】本発明の実施の形態に係る電子鏡システムの液晶表示装置の概略構成を示す図である。
【図４】図２に示す同期部のテーブルを示す図である。
【図５】従来の電子鏡システムの概略構成を示す図である。
【符号の説明】
１１  液晶表示装置
１１ａ，１１ｂ  操作部
１１ｃ  液晶パネル
１１ｄ  導光板
１１ｅ、１１ｆ  蛍光ランプ
１２  カメラ
１３  切替制御部
１４  利用者
１５  ライト
１３１  画像取得部
１３２  画像処理部
１３３  画像格納部
１３４  液晶駆動制御部
１３５  同期部
１３６  テーブル
１３７  カメラ制御部
１３８  ライト制御部
１３９通信制御部
【図１】
2004297733.tif 000003
【図２】
2004297733.tif 000004
【図３】
2004297733.tif 000005
【図４】
2004297733.tif 000006
【図５】
2004297733.tif 000007